(57)【特許請求の範囲】
【請求項１】
冷凍装置の熱源ユニット本体（２，１０２）から外部に吹き出される空気の方向を調整する風向調整ユニット（８，１０８，２０８，３０８）であって、
前記熱源ユニット本体（２，１０２）に装着され、前記熱源ユニット本体（２，１０２）からの前記空気の吹き出し開口（８２ａ〜８２ｈ，８３ａ〜８３ｂ，８４ａ〜８４ｂ，８５ａ〜８５ｈ，８６ａ〜８６ｈ）を少なくとも１つ有する装着部材（８１，１８１）と、
前記吹き出し開口（８２ａ〜８２ｈ，８３ａ〜８３ｂ，８４ａ〜８４ｂ，８５ａ〜８５ｈ，８６ａ〜８６ｈ）の少なくとも一部を塞ぐ閉鎖部材（８７，１８７，２８７，３８７）と、
を備え、
前記装着部材（１８１）の少なくとも一部は、前記熱源ユニット本体（１０２）と一体形成されており、
前記装着部材（８１，１８１）は、複数の面を有しており、
前記吹き出し開口（８２ａ〜８２ｈ，８３ａ〜８３ｂ，８４ａ〜８４ｂ，８５ａ〜８５ｈ，８６ａ〜８６ｈ）は、前記装着部材の少なくとも一面に形成され、
前記装着部材は、前記装着部材の一面上における前記吹き出し開口が完全に塞がれる第１状態、該吹き出し開口が部分的に塞がれる第２状態、該吹き出し開口が塞がれていない第３状態を採り得る、
風向調整ユニット（８，１０８，２０８，３０８）。
【請求項２】
前記熱源ユニット本体（２，１０２）は、前記空気を正面に吹き出すタイプであって、
前記装着部材（８１，１８１）は、前記熱源ユニット本体（２，１０２）の正面に装着された箱状の部材であって、
前記吹き出し開口（８２ａ〜８２ｈ，８３ａ〜８３ｂ，８４ａ〜８４ｂ，８５ａ〜８５ｈ，８６ａ〜８６ｈ）は、前記装着部材（８１，１８１）の正面（８２，１８２）、上面（８３，１８３）、下面（８４，１８４）及び両側面（８５，８６，１８５，１８６）のうち２以上の面に設けられている、
請求項１に記載の風向調整ユニット（８，１０８，２０８，３０８）。
【請求項３】
前記閉鎖部材（２８７，３８７）は、
少なくとも一部が前記装着部材（８１，１８１）に支持されており、
前記装着部材（８１，１８１）に対し相対的に動くことで前記吹き出し開口（８２ａ〜８２ｈ，８３ａ〜８３ｂ，８４ａ〜８４ｂ，８５ａ〜８５ｈ，８６ａ〜８６ｈ）を塞ぐ、
請求項１または２に記載の風向調整ユニット（２０８，３０８）。
【請求項４】
請求項１〜３のいずれかに記載の風向調整ユニット（８，１０８，２０８，３０８）と、
前記風向調整ユニット（８，１０８，２０８，３０８）により外部に吹き出される空気の方向が調整される熱源ユニット本体（２，１０２）と
を備え、
前記熱源ユニット本体（２，１０２）には、
前記空気と熱交換を行う熱交換器（３）と、
前記熱交換器（３）により熱交換が行われた後の前記空気を、前記吹き出し開口（８２ａ〜８２ｈ，８３ａ〜８３ｂ，８４ａ〜８４ｂ，８５ａ〜８５ｈ，８６ａ〜８６ｈ）に送るファン（６２）と
が収容されており、
前記風向調整ユニット（１０８）における前記装着部材（１８１）の少なくとも一部と前記熱源ユニット本体（１０２）とが、一体形成されており、
前記装着部材（８１，１８１）は、複数の面を有しており、
前記吹き出し開口（８２ａ〜８２ｈ，８３ａ〜８３ｂ，８４ａ〜８４ｂ，８５ａ〜８５ｈ，８６ａ〜８６ｈ）は、前記装着部材の少なくとも一面に形成され、
前記装着部材は、前記装着部材の一面上における前記吹き出し開口が完全に塞がれる第１状態、該吹き出し開口が部分的に塞がれる第２状態、該吹き出し開口が塞がれていない第３状態を採り得る、
冷凍装置の熱源ユニット（１，１０１）。
【発明の詳細な説明】
【技術分野】
【０００１】
本発明は、風向調整ユニット、特に冷凍装置の熱源ユニット本体から外部に吹き出される空気の方向を調整する風向調整ユニットに関する。また、本発明は、風向調整ユニットを備えた冷凍装置の熱源ユニットに関する。
【背景技術】
【０００２】
従来より、空気調和機や給湯器などの冷凍装置は、室外機やヒートポンプユニット等の室外に設置される熱源ユニットを備えている。このような熱源ユニットとしては、例えば特許文献１に開示されているように、ケーシングや熱交換器、ファン等を備えている室外機がある。特に、特許文献１に係る室外機では、空気流により発生する騒音の増加を防止するため、ケーシングの正面から吹き出された空気が横方向から室外機外部に吹き出すような構成を有している。
【特許文献１】特開２００１−１０８２６２号公報
【発明の開示】
【発明が解決しようとする課題】
【０００３】
ところで、熱源ユニットが設置される環境によっては、空気を吹き出したくない方向が存在する場合がある。これに対し、特許文献１に係る室外機では、上述したように、空気が横方向のみから外部に吹き出されるため、空気を正面に吹き出したくないような環境下においては設置することができるが、例えば横方向には空気が吹き出されたくないような環境下では、設置され難い。
【０００４】
そこで、本発明は、熱源ユニットのケーシングからの空気を所望の方向に吹き出させることができる風向調整ユニット及びこれを備えた冷凍装置の熱源ユニットを提供することを目的とする。
【課題を解決するための手段】
【０００５】
発明１に係る風向調整ユニットは、冷凍装置の熱源ユニット本体から外部に吹き出される空気の方向を調整するものであって、装着部材と閉鎖部材とを備える。装着部材は、熱源ユニット本体に装着され、熱源ユニット本体からの空気の吹き出し開口を少なくとも１つ有する。閉鎖部材は、吹き出し開口の少なくとも一部を塞ぐ。装着部材の少なくとも一部は、熱源ユニット本体と一体形成されている。特に、装着部材は、複数の面を有しており、吹き出し開口は、装着部材の少なくとも一面に形成されている。そして、装着部材は、装着部材の一面上における吹き出し開口が完全に塞がれる第１状態、該吹き出し開口が部分的に塞がれる第２状態、該吹き出し開口が塞がれていない第３状態を採り得る。
【０００６】
この風向調整ユニットによると、吹き出し開口を少なくとも１つ有する装着部材が熱源ユニット本体と一体成形されている。そして、吹き出し開口は、複数の面からなる装着部材の少なくとも一面に形成されており、装着部材は、装着部材の一面上における吹き出し開口が完全に塞がれる第１状態、該吹き出し開口が部分的に塞がれる第２状態、該吹き出し開口が塞がれていない第３状態を採ることが可能である。これにより、熱源ユニットから外部に吹き出される空気は、塞がれていない吹き出し開口の部分から吹き出される。従って、空気を所望の方向に吹き出させることができる。
【０００７】
発明２に係る風向調整ユニットは、発明１に係る風向調整ユニットであって、熱源ユニット本体は、空気を正面に吹き出すタイプである。装着部材は、熱源ユニット本体の正面に装着された箱状の部材である。そして、吹き出し開口は、装着部材の正面、上面、下面及び両側面のうち２以上の面に設けられている。
【０００８】
この風向調整ユニットによると、装着部材の２以上の面に設けられた吹き出し開口のうち少なくとも一部が閉鎖部材により適宜塞がれることで、熱源ユニット本体から正面に吹き出される空気の方向を、所望の方向に変えることができる。
【０００９】
発明３に係る風向調整ユニットは、発明１または発明２に係る風向調整ユニットであって、閉鎖部材は、少なくとも一部が装着部材に支持されている。そして、閉鎖部材は、装着部材に対し相対的に動くことで吹き出し開口を塞ぐ。
【００１０】
この風向調整ユニットによると、閉鎖部材が装着部材に対し相対的に動くことで吹き出し口が適宜塞がれる。従って、熱源ユニットの設置位置の周囲の環境状態を予め確認しておき、確認結果に応じて閉鎖部材を形作る必要がなく、熱源ユニットの設置時に、環境状態に応じて柔軟かつ早急に各吹き出し開口を適宜塞ぐことができる。
【００１１】
発明４に係る冷凍装置の熱源ユニットは、風向調整ユニットと、熱源ユニット本体とを備える。風向調整ユニットは、発明１から発明３のいずれかに係る風向調整ユニットである。熱源ユニット本体は、風向調整ユニットにより外部に吹き出される空気の方向が調整される。そして、熱源ユニット本体には、熱交換器とファンとが収容されている。熱交換器は、空気と熱交換を行う。ファンは、熱交換器により熱交換が行われた後の空気を、吹き出し開口に送る。風向調整ユニットにおける装着部材の少なくとも一部と熱源ユニット本体とが、一体形成されている。特に、装着部材は、複数の面を有しており、吹き出し開口は、装着部材の少なくとも一面に形成されている。そして、装着部材は、装着部材の一面上における吹き出し開口が完全に塞がれる第１状態、該吹き出し開口が部分的に塞がれる第２状態、該吹き出し開口が塞がれていない第３状態を採り得る。
【００１２】
この冷凍装置の熱源ユニットによると、風向調整ユニットにおける装着部材の少なくとも一部と熱源ユニット本体とは一体成形されている。そして、吹き出し開口は、複数の面からなる装着部材の少なくとも一面に形成されており、装着部材は、装着部材の一面上における吹き出し開口が完全に塞がれる第１状態、該吹き出し開口が部分的に塞がれる第２状態、該吹き出し開口が塞がれていない第３状態を採ることが可能である。熱交換が行われた後の空気は、風向調整ユニットの閉鎖部材により塞がれていない吹き出し開口の部分を通じて熱源ユニットの外部に吹き出される。従って、熱源ユニットは、例えば熱交換により暖められた空気を、所望の方向に吹き出すことができる。
【発明の効果】
【００１３】
発明１に係る風向調整ユニットによると、熱源ユニットからの空気は塞がれていない吹き出し開口の部分から吹き出されるため、空気を所望の方向に吹き出させることができる。
【００１４】
発明２に係る風向調整ユニットによると、装着部材の２以上の面に設けられた吹き出し開口のうち少なくとも一部が閉鎖部材により適宜塞がれることで、熱源ユニット本体から正面に吹き出される空気の方向を、所望の方向に変えることができる。
【００１５】
発明３に係る風向調整ユニットによると、熱源ユニットの設置位置の周囲の環境状態を予め確認しておき、確認結果に応じて閉鎖部材を形作る必要がなく、熱源ユニットの設置時に、環境状態に応じて柔軟かつ早急に各吹き出し開口を適宜塞ぐことができる。
【００１６】
発明４に係る冷凍装置の熱源ユニットによると、風向調整ユニットにおける装着部材の少なくとも一部と熱源ユニット本体とは一体成形されており、熱交換が行われた後の空気は、風向調整ユニットの閉鎖部材により塞がれていない吹き出し開口の部分を通じて熱源ユニットの外部に吹き出される。従って、熱源ユニットは、例えば熱交換により暖められた空気を、所望の方向に吹き出すことができる。
【発明を実施するための最良の形態】
【００１７】
以下、本発明の一実施形態に係る風向調整ユニット及びこれを備えた冷凍装置の熱源ユニットについて、図面を用いて詳細に説明する。
【００１８】
（１）構成
図１は、本実施形態に係る冷凍装置の熱源ユニットが採用された室外機の外観図である。図１の室外機１は、室内の壁面等に取り付けられている室内機（図示せず）と冷媒配管（図示せず）を介して接続されており、空気調和装置（冷凍装置に相当）を構成している。空気調和装置は、室内の冷房運転や暖房運転等を行うことができる。
【００１９】
本実施形態に係る室外機１は、図１〜図３に示すように、主として、ケーシング２（熱源ユニット本体に相当）、室外熱交換器３、圧縮機４、電装品ユニット５、送風部６、ベルマウス７及び風向調整ユニット８を備える。
【００２０】
尚、以下の説明においては、「上」、「下」、「右」、「左」、「鉛直」等の方向を示す表現を適宜用いているが、これらは、室外機１が図１に示すように室外に取り付けられ、通常使用される状態での各方向を表す。
【００２１】
〔ケーシング〕
ケーシング２は、図１や図２に示すように、略直方体の形状を有しており、板金及び樹脂によって形成されている。ケーシング２の内部は、図３に示すように、略鉛直に延びる仕切板２ａにより機械室Ｓ１と送風室Ｓ２とに分割されている。機械室Ｓ１には、圧縮機４や電装品ユニット５が設置され、送風室Ｓ２には、室外熱交換機３や送風部６が設置されている。
【００２２】
そして、ケーシング２には、送風口２ｂと吸気口（図示せず）とが形成されている。送風口２ｂは、ケーシング２の正面２１に形成され、図２に示すように略円形の形状を有している。送風口２ｂからは、空気が、ケーシング２内部から外部へと吹き出される。この空気は、やがて室外機１外部へと吹き出されるが、室外機１外部に吹き出される際には、後述する風向調整ユニット８により調節された方向へと吹き出されることになる。吸気口は、ケーシング２の背面２３や、図３に示すように上面視においてケーシング２の左側面２２に形成されている。
【００２３】
〔室外熱交換器〕
室外熱交換器３は、吸気口を介してケーシング２内に吸い込まれてきた空気と熱交換を行うためのものである。室外熱交換器３は、略Ｌ字状の形状を有しており、ケーシング２の左側面２２から背面２３に沿うようにして配置されている。より具体的には、室外熱交換器３は、ケーシング２の左側面２２に沿って延びている第１部分３ａと、ケーシング２の背面２３に沿って延びている第２部分３ｂとを有している。言い換えると、第１部分３ａは、送風部６に含まれるファン６２の回転中心軸Ｙ１に対し略平行に延びており、第２部分３ｂは、ファン６２の回転中心軸Ｙ１に略直交する方向に対し略平行に延びている。
【００２４】
このような室外熱交換器３は、長手方向両端で複数回折り返されてなる伝熱管（図示せず）と、伝熱管が挿通される複数のフィンを含むフィン部分（図示せず）とを有する。伝熱管は、冷媒配管（図示せず）と接続されており、伝熱管の内部には、冷媒配管（図示せず）内を流れる冷媒が流れている。
【００２５】
〔圧縮機〕
圧縮機４は、冷媒配管（図示せず）内を流れる冷媒を圧縮するためのものであって、機械室Ｓ１内に配置されている。より具体的には、圧縮機４は、機械室Ｓ１内のうち、仕切板２ａの近傍であって、かつ電装品ユニット５の下側に配置されている。このような圧縮機４は、圧縮機用モータにより駆動される。
【００２６】
〔電装品ユニット〕
電装品ユニット５は、コンデンサやトランジスタ等の複数の電装品が実装された制御基板やリアクタ等を収納するためのものであって、機械室Ｓ１において圧縮機４の上側に配置されている。そして、電装品ユニット５内の制御基板からは、複数本のハーネスが延びている。これらのハーネスは、圧縮機４や送風部６におけるファンモータ６１に駆動制御用信号等を伝送するためのものであって、電装品ユニット５から圧縮機４及びファンモータ６１等にまで延びている。
【００２７】
〔送風部〕
送風部６は、室外熱交換器３により熱交換が行われた後の空気を、ケーシング２の送風口２ｂを介して風向調整ユニット８に送るためのものであって、送風室Ｓ２に設けられている。送風部６は、ファンモータ６１及びファン６２を有する。
【００２８】
ファンモータ６１は、ファン６２の回転駆動源であって、ケーシング２の背面２３に取り付けられたファンモータ台６１ａに固定されている。そして、ファンモータ６１の出力軸は、ファン６２の回転中心軸Ｙ１に接続されている。従って、電装品ユニット５の制御基板から出力される駆動制御用信号によりファンモータ６１が回転すると、その回転はファンモータ６１の出力軸を介してファン６２の回転中心軸Ｙ１に伝達されるため、ファン６２は回転することができる。
【００２９】
ファン６２は、複数枚の翼を有するプロペラファンであって、送風室Ｓ２の空気を外部に排出可能なように、ケーシング２の送風口２ｂに対応する位置に設けられている。ファン６２は、ファンモータ６１により回転することで、室外熱交換器３で熱交換された後の空気がケーシング２の正面２１側に流れるように、空気の流れを生成する。
【００３０】
〔ベルマウス〕
ベルマウス７は、ファン６２及びケーシング２の送風口２ｂに対応して設けられている。ベルマウス７は、ケーシング２に固定されており、ベルマウス７には、ファン６２によって生成される空気の流れをケーシング２外部（具体的には、風向調整ユニット８）に案内するための開口７ａが形成されている。開口７ａは、ケーシング２の送風口２ｂとほぼ同じ大きさの略円形の形状を有している（図２）。
【００３１】
〔風向調整ユニット〕
風向調整ユニット８は、ケーシング２内部からケーシング２外部に吹き出される空気の方向を調節するためのものであって、ケーシング２の正面２１を覆うようにケーシング２に装着される。尚、風向調整ユニット８のケーシング２への装着作業は、室外機１が室外に実際に設置される際に例えば施工者によって行われても良いし、工場において室外機１が製作される際（つまり、室外機１の出荷前）に作業者によって行われても良い。風向調整ユニット８は、装着部材８１と閉鎖部材８７とを有する。
【００３２】
装着部材８１は、箱状の形状を有しており、ケーシング２の正面２１に装着される。より具体的には、装着部材８１は、図１及び図２に示すように、正面８２、上面８３、下面８４、左側面８５及び右側面８６を有しており、例えば板金で形成されている。そして、装着部材８１の各面８２〜８６には、複数の吹き出し開口８２ａ〜８２ｈ，８３ａ〜８３ｂ，８４ａ〜８４ｂ，８５ａ〜８５ｈ，８６ａ〜８６ｈが形成されている（図４）。より具体的には、装着部材８１の正面８２、左側面８５及び右側面８６には、それぞれ８つの吹き出し開口８２ａ〜８２ｈ，８５ａ〜８５ｈ，８６ａ〜８６ｈが形成されている。そして、装着部材８１の上面８３及び下面８４には、それぞれ２つの吹き出し開口８３ａ〜８３ｂ，８４ａ〜８４ｂが形成されている。吹き出し開口８２ａ〜８２ｈ，８３ａ〜８３ｂ，８４ａ〜８４ｂ，８５ａ〜８５ｈ，８６ａ〜８６ｈは、ケーシング２からの空気を室外機１外部に吹き出すための開口であって、本実施形態では、それぞれが矩形の形状を有している。
【００３３】
閉鎖部材８７は、装着部材８１における吹き出し開口８２ａ〜８２ｈ，８３ａ〜８３ｂ，８４ａ〜８４ｂ，８５ａ〜８５ｈ，８６ａ〜８６ｈの少なくとも１部を塞ぐためのものであって、ケーシング２と装着部材８１の間に配置される。本実施形態では、閉鎖部材８７が、図１に示すように装着部材８１の下部を塞ぐ場合を例に取る。より具体的には、閉鎖部材８７は、図４に示すように、装着部材８１の正面８２の下部（即ち、下半分）に位置する吹き出し開口８２ｅ〜８２ｈ、下面８４の吹き出し開口８４ａ〜８４ｂ、左側面８５及び右側面８６それぞれの下部（即ち、下半分）に位置する吹き出し開口８５ｅ〜８５ｈ，８６ｅ〜８６ｈを塞いでいる。そのため、閉鎖部材８７は、正面、下面及び両側面からなる形状を有している（図２）。特に、閉鎖部材８７の正面及び両側面は、それぞれ装着部材８１の正面８２及び両側面８５，８６の横半分とほぼ同じ大きさを有しており、閉鎖部材８７の下面は、装着部材８１の下面８４とほぼ同じ大きさを有している。このような閉鎖部材８７は、閉鎖部材８７の正面及び両側面が、それぞれ装着部材８１の正面８２及び両側面８５，８６の下半分に接触し、かつ閉鎖部材８７の下面が装着部材８１の下面８４に接触するように配置される（図２）。ここで、閉鎖部材８７は、空気が通過しにくいような材質で形成されており、例えば板金が挙げられる。
【００３４】
このような風向調整ユニット８がケーシング２の正面２１に装着されると、ケーシング２の正面２１の送風口２ｂは、風向調整ユニット８により覆われる。そして、風向調整ユニット８の装着部材８１における吹き出し開口８２ａ〜８２ｈ，８３ａ〜８３ｂ，８４ａ〜８４ｂ，８５ａ〜８５ｈ，８６ａ〜８６ｈのうち、装着部材８１の下半分に位置する吹き出し開口８２ｅ〜８２ｈ，８４ａ〜８４ｂ，８５ｅ〜８５ｈ，８６ｅ〜８６ｈは閉鎖部材８７により塞がれているが、装着部材８１の上半分に位置する吹き出し開口８２ａ〜８２ｄ，８３ａ〜８３ｂ，８５ａ〜８５ｄ，８６ａ〜８６ｄは塞がれていない。そのため、ケーシング２内部から送風口２ｂを介して吹き出された空気は、図４の矢印に示すように、塞がれていない吹き出し開口８２ａ〜８２ｄ，８３ａ〜８３ｂ，８５ａ〜８５ｄ，８６ａ〜８６ｄから室外機１外部に吹き出される。従って、本実施形態に係る室外機１は、正面吹きタイプのケーシング２を有しているが、風向調整ユニット８により、空気は室外機１の下方には吹き出されず、主に室外機１の上方に吹き出されるようになる。
【００３５】
（２）効果
（Ａ）
本実施形態に係る風向調整ユニット８は、装着部材８１と閉鎖部材８７とを備えており、室外機１のケーシング２から外部に吹き出される空気の方向を調整する。装着部材８１は、ケーシング２に装着され、複数の吹き出し開口８２ａ〜８２ｈ，８３ａ〜８３ｂ，８４ａ〜８４ｂ，８５ａ〜８５ｈ，８６ａ〜８６ｈを有する。閉鎖部材８７は、吹き出し開口８２ａ〜８２ｈ，８３ａ〜８３ｂ，８４ａ〜８４ｂ，８５ａ〜８５ｈ，８６ａ〜８６ｈの少なくとも一部（具体的には、吹き出し開口８２ｅ〜８２ｈ，８４ａ〜８４ｂ，８５ｅ〜８５ｈ，８６ｅ〜８６ｈ）を塞ぐ。これにより、室外機１から外部に吹き出される空気は、塞がれていない吹き出し開口８２ａ〜８２ｄ，８３ａ〜８３ｂ，８５ａ〜８５ｄ，８６ａ〜８６ｄから吹き出される。
【００３６】
（Ｂ）
また、本実施形態に係る風向調整ユニット８は、正面吹きタイプのケーシング２の正面に装着されている。特に、風向調整ユニット８の装着部材８１における吹き出し開口８２ａ〜８２ｈ，８３ａ〜８３ｂ，８４ａ〜８４ｂ，８５ａ〜８５ｈ，８６ａ〜８６ｈは、装着部材８１の正面８２、上面８３、下面８４及び両側面８５，８６それぞれに設けられている。従って、この風向調整ユニット８によると、装着部材８１の複数の面に設けられた吹き出し開口８２ａ〜８２ｈ，８３ａ〜８３ｂ，８４ａ〜８４ｂ，８５ａ〜８５ｈ，８６ａ〜８６ｈを適宜塞ぐことで、室外機１のケーシング２の正面２１に吹き出される空気の方向を、所望の方向に変えることができる。
【００３７】
（Ｃ）
また、室外機１は、風向調整ユニット８と、室外熱交換器３及びファン６２が収容されたケーシング２とを備える。この室外機１によると、室外熱交換器３により熱交換が行われた後の空気は、風向調整ユニット８の閉鎖部材８７により塞がれていない吹き出し開口８２ａ〜８２ｄ，８３ａ〜８３ｂ，８５ａ〜８５ｄ，８６ａ〜８６ｄを通じて室外機１の外部に吹き出される。
【００３８】
＜その他の実施形態＞
（ａ）
上記実施形態では、装着部材８１の下半分に位置する吹き出し開口８２ｅ〜８２ｈ，８４ａ〜８４ｂ，８５ｅ〜８５ｈ，８６ｅ〜８６ｈが塞がれた場合を例にとり説明した。しかし、閉鎖部材８７により塞がれる吹き出し開口は、これに限定されない。即ち、風向調整ユニット８では、室外機１が設置される環境下に応じて、装着部材８１の吹き出し開口８２ａ〜８２ｈ，８３ａ〜８３ｂ，８４ａ〜８４ｂ，８５ａ〜８５ｈ，８６ａ〜８６ｈのうち一部が閉鎖部材８７により塞がれればよい。これにより、ケーシング２内部の空気を、所望の方向に吹き出すことができる。
【００３９】
尚、上記実施形態以外のその他の例としては、例えば下記（ａ−１）〜（ａ−３）が挙げられる。
【００４０】
（ａ−１）装着部材の正面における吹き出し開口全てを塞ぐ
図５は、装着部材８１の正面８２における吹き出し開口８２ａ〜８２ｈ全てが閉鎖部材８７により塞がれた場合の室外機１を示している。この室外機１によると、ケーシング２からの空気は、図５の矢印に示すように、塞がれていない装着部材８１の上面８３、下面８４及び両側面８５，８６の吹き出し開口８３ａ〜８３ｂ，８４ａ〜８４ｂ，８５ａ〜８５ｈ，８６ａ〜８６ｈから室外機１外部に吹き出される。
【００４１】
（ａ−２）装着部材の両側面及び下面における吹き出し開口全てを塞ぐ
図６は、装着部材８１の下面８４及び両側面８５，８６における吹き出し開口８４ａ〜８４ｂ，８５ａ〜８５ｈ，８６ａ〜８６ｈ全てが閉鎖部材８７により塞がれた場合の室外機１を示している。この室外機１によると、ケーシング２からの空気は、図６の矢印に示すように、塞がれていない装着部材８１の正面８２及び上面８３の吹き出し開口８２ａ〜８２ｈ，８３ａ〜８３ｂから室外機１外部に吹き出される。
【００４２】
（ａ−３）装着部材の上半分に位置する吹き出し開口を塞ぐ
図７は、装着部材８１の正面８２及び両側面８５，８６の上半分における吹き出し開口８２ａ〜８２ｄ，８５ａ〜８５ｄ，８６ａ〜８６ｄ、上面８３の吹き出し開口８３ａ〜８３ｂが閉鎖部材８７により塞がれた場合の室外機１を示している。この室外機１によると、ケーシング２からの空気は、図７の矢印に示すように、塞がれていない装着部材８１の吹き出し開口（即ち、正面８２及び両側面８５，８６の下半分に位置する吹き出し開口８２ｅ〜８２ｈ，８５ｅ〜８５ｈ，８６ｅ〜８６ｈ及び下面８４の吹き出し開口８４ａ〜８４ｂ）から室外機１外部に吹き出される。
【００４３】
（ｂ）
上記実施形態では、装着部材８１の全ての面に吹き出し開口８２ａ〜８２ｈ，８３ａ〜８３ｂ，８４ａ〜８４ｂ，８５ａ〜８５ｈ，８６ａ〜８６ｈが形成されている場合を例にとり説明した。しかし、吹き出し開口は、装着部材の全ての面に形成されるのではなく、装着部材の少なくとも２つの面に設けられてもよい。例えば、装着部材の正面及び上面のみに吹き出し開口が形成される場合や、装着部材の両側面のみに吹き出し開口が形成される場合が挙げられる。この場合においても、各吹き出し開口が閉鎖部材により適宜塞がれることで、室外機のケーシング内部の空気は、所望の方向に吹き出だされるようになる。
【００４４】
（ｃ）
上記実施形態では、装着部材８１の各面に複数の吹き出し開口が設けられている（例えば、装着部材８１の正面８２には、８つの吹き出し開口８２ａ〜８２ｈが設けられている）場合を例に取り説明した。しかし、例えば図８に示すように、装着部材の各面８２〜８６には、１つの吹き出し開口８２ａ’〜８６ａ’が設けられていてもよい。この場合、閉鎖部材８７’が各吹き出し開口８２ａ’〜８６ａ’の一部分を適宜塞ぐことで、上記実施形態と同様の効果を奏することができる。
【００４５】
（ｄ）
上記実施形態では、例えば図２に示すように、風向調整ユニット８とケーシング２とが別々である場合について説明した。しかし、本発明に係る風向調整ユニットは、少なくとも一部分が室外機のケーシングと一体化されていてもよい。具体的には、風向調整ユニットの装着部材における上面及び／または下面がケーシングと一体形成される場合が挙げられる。図９では、一例として、風向調整ユニット１０８の装着部材１８１における上面１８３及び下面１８４が室外機１０１のケーシング１０２と一体形成されている室外機１０１を示している。装着部材１８１の上面１８３及び下面１８４それぞれは、ケーシング１０２の正面１２１における上部及び下部から、正面側へと突出するようにして延びている。また、装着部材１８１の正面１８２、左側面１８５及び右側面１８６は、上面１８３及び下面１８４とは異なり、ケーシング１０２とは別に設けられている。閉鎖部材１８７は、第１実施形態に係る閉鎖部材８７と同様、正面、下面及び両側面からなる形状を有している。
【００４６】
（ｅ）
上記実施形態では、閉鎖部材８７が、図２に示すように、正面、下面及び両側面からなる形状である場合について説明した。しかし、本発明に係る閉鎖部材は、図２に示す形状に限定されず、装着部材の吹き出し開口を塞ぐことができる構造であれば、どのような構造であってもよい。本発明に係る閉鎖部材のその他の例としては、図１０や図１１に示す構造が挙げられる。
【００４７】
具体的に、図１０に係る風向調整ユニット２０８は、第１実施形態に係る風向調整ユニット８の閉鎖部材８７に代えて、閉鎖部材２８７を有している。尚、風向調整ユニット２０８は、第１実施形態と同様の装着部材８１を有している。閉鎖部材２８７は、装着部材８１の各吹き出し開口８２ａ〜８２ｄ・・・それぞれに対応して設けられた複数の閉鎖板２８８と、各閉鎖板２８８を連結した連結部２８９とを有している。各閉鎖板２８８は、その一部分が装着部材８１の各吹き出し開口８２ａ〜８２ｄ・・・付近に支持されており、装着部材８１の外側から各吹き出し開口８２ａ〜８２ｄ・・・を塞ぐことが可能なように配置されている。閉鎖板２８８は、装着部材８１に支持された部分を回動支点として回動することができ、回動することによって個々の吹き出し開口８２ａ〜８２ｄ・・・を開閉することができる。連結部２８９は、各閉鎖板２８８による吹き出し開口８２ａ〜８２ｄの開閉状態を調節するためのものである。例えば、図１０（ａ）に示されるように、各閉鎖板２８８が各吹き出し開口８２ａ〜８２ｄ・・・を開放している状態時に連結部２８９が下方向に引っ張られることで（図１０（ａ）の矢印Ａ方向）、各閉鎖板２８８は、各吹き出し開口８２ａ〜８２ｄ・・・を塞ぐ状態となることができる（図１０（ｂ））。尚、図１０では、一例として、装着部材８１の正面８２における閉鎖部材２８７を図示している。
【００４８】
図１１に係る風向調整ユニット３０８は、第１実施形態に係る風向調整ユニット８の閉鎖部材８７に代えて、閉鎖部材３８７を有している。尚、風向調整ユニット３０８は、第１実施形態と同様の装着部材８１を有している。閉鎖部材３８７は、各吹き出し開口８２ａ〜８２ｄ・・・それぞれに対応して設けられた複数の閉鎖板３８８と、各閉鎖板３８８を連結した連結部３８９とを有している。閉鎖板３８８は、図示しないレール等によって装着部材８１の各吹き出し開口８２ａ〜８２ｄ・・・付近に支持されており、スライドすることによって装着部材８１の内側から各吹き出し開口８２ａ〜８２ｄ・・・を開閉可能である。連結部３８９は、各閉鎖板３８８による吹き出し開口８２ａ〜８２ｄの開閉状態を調節するためのものである。例えば、図１１（ａ）に示されるように、各閉鎖板３８８が各吹き出し開口８２ａ〜８２ｄ・・・を開放している状態時に連結部３８９が下方向に引っ張られることで（図１１（ａ）の矢印Ｂ方向）、各閉鎖板３８８は、各吹き出し開口８２ａ〜８２ｄ・・・を閉じる（塞ぐ）状態となることができる（図１１（ｂ））。尚、図１１では、一例として、装着部材８１の正面８２における閉鎖部材３８７を図示している。
【００４９】
上述したように、図１０，１１に係る風向調整ユニット２０８，３０８では、閉鎖部材２８７，３８７の少なくとも一部が装着部材８１に支持されており、閉鎖部材２８７，３８７は、装着部材８１に対し相対的に動くことで吹き出し開口８２ａ〜８２ｄ・・・を塞ぐ。このような構造により、第１実施形態のように室外機１の設置位置を実際に確認してから閉鎖部材８７を形作ったり閉鎖部材８７の要否を判断したりする必要がなく、室外機の設置時であっても顧客からの急なニーズに対応することができる。また、室外機の設置位置における周囲の環境状態が変化した場合にも、早急にかつ柔軟に対応することができる。
【産業上の利用可能性】
【００５０】
本発明の風向調整ユニットによると、空気を所望の方向に吹き出させることができるという効果を有する。従って、風向調整ユニットは、空気調和装置の室外機や給湯器のヒートポンプ型ユニット等のように、冷凍装置の熱源ユニットにおいて、熱源ユニット本体から外部に吹き出される空気の方向を調整するためのものとして適用することができる。
【図面の簡単な説明】
【００５１】
【図１】本実施形態に係る室外機の外観図。
【図２】本実施形態に係る室外機の分解斜視図。
【図３】本実施形態に係る室外機内部の構造を、上から見た場合の図。
【図４】（ａ）本実施形態に係る室外機の正面図。（ｂ）本実施形態に係る室外機の右側面図。（ｃ）本実施形態に係る室外機の左側面図。（ｄ）本実施形態に係る室外機の上面図。（ｅ）本実施形態に係る室外機の下面図。
【図５】（ａ）その他の実施形態（ａ）の（ａ−１）における室外機の正面図。（ｂ）その他の実施形態（ａ）の（ａ−１）における室外機の右側面図。（ｃ）その他の実施形態（ａ）の（ａ−１）における室外機の左側面図。（ｄ）その他の実施形態（ａ）の（ａ−１）における室外機の上面図。（ｅ）その他の実施形態（ａ）の（ａ−１）における室外機の下面図。
【図６】（ａ）その他の実施形態（ａ）の（ａ−２）における室外機の正面図。（ｂ）その他の実施形態（ａ）の（ａ−２）における室外機の右側面図。（ｃ）その他の実施形態（ａ）の（ａ−２）における室外機の左側面図。（ｄ）その他の実施形態（ａ）の（ａ−２）における室外機の上面図。（ｅ）その他の実施形態（ａ）の（ａ−２）における室外機の下面図。
【図７】（ａ）その他の実施形態（ａ）の（ａ−３）における室外機の正面図。（ｂ）その他の実施形態（ａ）の（ａ−３）における室外機の右側面図。（ｃ）その他の実施形態（ａ）の（ａ−３）における室外機の左側面図。（ｄ）その他の実施形態（ａ）の（ａ−３）における室外機の上面図。（ｅ）その他の実施形態（ａ）の（ａ−３）における室外機の下面図。
【図８】（ａ）その他の実施形態（ｃ）における室外機の正面図。（ｂ）その他の実施形態（ｃ）における室外機の右側面図。（ｃ）その他の実施形態（ｃ）における室外機の左側面図。（ｄ）その他の実施形態（ｃ）における室外機の上面図。（ｅ）その他の実施形態（ｃ）における室外機の下面図。
【図９】その他の実施形態（ｄ）に係る室外機の分解斜視図。
【図１０】（ａ）その他の実施形態（ｅ）に係る風向調整ユニット２０８であって、閉鎖部材２８７が各吸い込み開口８２ａ〜８２ｄ・・・を開く状態となっている場合の風向調整ユニット２０８の縦断面の一部を示す図。（ｂ）その他の実施形態（ｅ）に係る風向調整ユニット２０８であって、閉鎖部材２８７が各吸い込み開口８２ａ〜８２ｄ・・・を塞ぐ状態となっている場合の風向調整ユニット２０８の縦断面の一部を示す図。
【図１１】（ａ）その他の実施形態（ｅ）に係る風向調整ユニット３０８であって、閉鎖部材３８７が各吸い込み開口８２ａ〜８２ｄ・・・を開く状態となっている場合の風向調整ユニット３０８の縦断面の一部を示す図。（ｂ）その他の実施形態（ｅ）に係る風向調整ユニット３０８であって、閉鎖部材３８７が各吸い込み開口８２ａ〜８２ｄ・・・を塞ぐ状態となっている場合の風向調整ユニット３０８の縦断面の一部を示す図。
【符号の説明】
【００５２】
１  室外機
２  ケーシング
３  室外熱交換器
６  送風部
８，１０８，２０８  風向調節ユニット
６２  ファン
８１，１８１  装着部材
８２  正面
８３  上面
８４  下面
８５  左側面
８６  右側面
８２ａ〜８２ｈ  正面の吹き出し開口
８３ａ〜８３ｂ  上面の吹き出し開口
８４ａ〜８４ｂ  下面の吹き出し開口
８５ａ〜８５ｈ  左側面の吹き出し開口
８６ａ〜８６ｈ  右側面の吹き出し開口
８７，１８７，２８７，３８７  閉鎖部材
２８８，３８８  閉鎖板
２８９，３８９  連結部
【図１】
0004492747.tif 000002
【図２】
0004492747.tif 000003
【図３】
0004492747.tif 000004
【図４】
0004492747.tif 000005
【図５】
0004492747.tif 000006
【図６】
0004492747.tif 000007
【図７】
0004492747.tif 000008
【図８】
0004492747.tif 000009
【図９】
0004492747.tif 000010
【図１０】
0004492747.tif 000011
【図１１】
0004492747.tif 000012